(57)【要約】      （修正有）【課題】安価で定位置調整が容易な液晶注入機冶具のスライドレール構造の提供。【解決手段】液晶注入機冶具のスライドレール構造は、冶具を含み、その冶具は液晶を注入するガラスパネルを設置する挟持台、液晶注入台及び液晶皿を含む。挟持台上には複数個のパネル仕切条が設置され、隣り合うパネル仕切条の間に液晶を注入するガラスパネルを設置する。液晶注入台上に二本のスライドレールを設置し、そのスライドレール上にスライドして距離を調整する定位台が複数個設置される。更に二つのスライドレール上に対応する二個の定位台の間には液晶皿が設置され、各液晶皿はガラスパネルの注入口にちょうど合う。パネル仕切条をサイズの異なるガラスパネルに合わせて距離を調整する時、定位台がスライドレール上でスライドして距離を調整し、液晶皿はスムーズに隣合う仕切条の間のガラスパネルに位置が合い、液晶皿とパネル仕切条の間の合わせ時間が短縮され、かつ液晶注入台を新たに作るコストを節約する。【選択図】図２
0003118850.tif 000002
【実用新案登録請求の範囲】
【請求項１】
挟持台と液晶注入台から構成された冶具に於いて、挟持台上には複数のパネル仕切条が設置されてガラスパネルを挟持し、液晶注入台は挟持台の下方に設置され、各パネル仕切条に対応する位置には液晶皿が設置され、液晶を液晶注入皿に注入してパネル仕切条に設置したガラスパネルに注入する液晶注入機冶具のスライドレール構造において、
液晶注入台には一定距離で隔たった二本のスライドレールが設置され、そのスライドレール上にはスライドレール上でスライドして適する距離に調整する定位台が複数個設置され、二本のスライドレールに対応する各定位台の間に液晶皿を設置し、各液晶皿がガラスパネルの注入口にちょうど合うことを特徴とする液晶注入機冶具のスライドレール構造。
【請求項２】
前記スライドレールは、二本の長い方の辺上に一本のスライド槽が成形され、定位台の底部には凹入り口が成形され、その凹入口の両側には内向きに延びた凸条があり、定位台をスライドレールの短い方の辺から入れ、定位台の凸条をスライドレールのスライド槽上でスライドさせることを特徴とする請求項１記載の液晶注入機冶具のスライドレール構造。
【請求項３】
前記定位台は、固定部品を具え、定位台をスライドレール上で固定することを特徴とする請求項１記載の液晶注入機冶具のスライドレール構造。
【請求項４】
前記定位台は、最上部に固定柱を設置し、その固定柱と液晶皿底部の固定孔が相互に合わさり、液晶皿の横フレームには二本のスライドレール上に相対する二個の定位台と対応することを特徴とする請求項１記載の液晶注入機冶具のスライドレール構造。
【請求項５】
前記スライドレールは、複数の目盛基準線が設置され、また定位台には対位線が設置されて、定位台上の対位線とスライドレール上の目盛基準線を相対してあわせることを特徴とする請求項１記載の液晶注入機冶具のスライドレール構造。
【考案の詳細な説明】
【技術分野】
【０００１】
本考案は、液晶注入機冶具のスライドレール構造に関するもので、ガラスパネルに液晶を注入して、液晶ガラスモニターパネルを形成するものである。
【背景技術】
【０００２】
液晶モニターは、現在急速に発展する平面モニターの一つである。そのうち、ＴＦＴフラットパネルモニターＴＦＴ ＬＣＤ（Ｔｈｉｎ  Ｆｉｌｍ Ｔｒａｎｓｉｓｔｏｒ  Ｌｉｑｕｉｄ Ｃｒｙｓｔａｌ  Ｄｉｓｐｌａｙ）がＬＣＤの簡略であり、上下両辺のガラスパネルが重なり合って構成される。一枚のガラスパネルはカラーフィルター（Ｃｏｌｏｒ  Ｆｉｌｔｅｒ−ＣＦ）で、もう一枚のガラスパネルは、ＴＦＴである。この二枚のガラスパネルが重なり合ってガラスパネルを構成し、その中間に液晶を注入する。この液晶注入方法は、吸上げ注入式と点滴式の二種がある。吸上げ注入式は、ガラスパネルを治具内に置き、注入口を下向きにして液晶注入機の真空室内に置き、注入口を液晶皿内の液晶に浸し、毛細現象と圧力差により液晶をガラスパネルの隙間に注入する方法である。また点滴式は、ガラスパネルを重ねる前にディスペンサー（ｄｉｓｐｅｎｓｅｒ）で適量の液晶をガラスパネル上に垂らし、次にＣＦとＴＦＴのガラスパネルを重ね合わせる。そしてＴＦＴ上にＩＣチップ及びプリント基板（ＰＣＢ）を貼り、液晶パネルの凡そが成型される。そしてそれをシステム工場に出荷し、システム工場で必要な電器部品及び外フレームを組み立てて液晶パネルモニターが完成する。
【０００３】
上述の二枚のガラスパネルを重ねた後、液晶注入機内で液晶を注入するのが、従来の液晶注入冶具である。特許文献１の液晶注入冶具装置は、複数個の液晶パネルに液晶を注入するのに適している。そのうち、各液晶パネルにはその第一側面に液晶注入口が設置されている。またその液晶パネルには第二側面と第三側面が設置され、且つ第二側面と第三側面は第一側面に隣接する。この液晶注入冶具には液晶パネル挟持台、歯型栓、液晶皿が少なくとも一つずつ設置される。
【０００４】
液晶パネル挟持台は、複数個の固定側面板を具え、これらの液晶パネルの第二側面と第三側面に配置される。そのうち、各固定側面板には複数個に仕切った凸片部が成形され、各液晶パネルを仕切る。
【０００５】
歯型栓は、液晶パネルの第一側面に配置し、そのうちこの歯型栓には一つの主体、複数個の第二凸部を含み、この主体が液晶パネルの第一側面の区域上に向き、そのうち、第二凸部の二個の隣合う第二凸部が差込槽を形成し、液晶パネルをそれぞれ差し込む。
【０００６】
液晶皿は、液晶パネル挟持台下方に配置し、液晶を設置する。
【０００７】
解決しようとする問題点は、上述の液晶注入冶具の液晶パネル挟持台が単一サイズのガラスパネルの液晶注入に適応しているだけである点である。そのため、異なるサイズのガラスパネルに液晶を注入する際には異なる規格サイズの液晶注入冶具を準備する必要がある。そのため、製造コストを上げ、同時に液晶注入冶具を交換するのに、時間と労力を取られ、効率的でない点である。
【０００８】
【特許文献１】台湾特許公示第５９４１３２号明細書
【考案の開示】
【考案が解決しようとする課題】
【０００９】
本考案の目的は、液晶注入機冶具のスライドレール構造を提供することである。冶具は、ガラスパネルを挟持する挟持液晶注入機冶具のスライドレール構造及び液晶注入台を含む。挟持台上に複数個のパネル仕切条が設置され、隣り合うパネル仕切条の間に液晶を注入するガラスパネルが設置される。また液晶注入台は、挟持台下方位置にあり、液晶注入台上には二本のスライドレールが設置される。このスライドレール上に、スライドして適する距離に調整する定位台が複数設置され、二本のスライドレールで相対する二個の定位台の間には液晶皿が設置され、各液晶皿はガラスパネルの注入口にちょうど対応する。挟持台上のパネル仕切条は異なるサイズのガラスパネルに対応して距離を調整する場合、定位台がスライドレール上でスライドして距離を調整し、液晶皿がスムーズに各パネル仕切条に設置したガラスパネルに合う。
【００１０】
本考案の別の目的は、液晶注入機冶具のスライドレール構造を提供することで、そのうち、液晶注入液晶注入機冶具のスライドレール構造のスライドレール上に複数の目盛基準線を設置し、定位台上には対位線を設置する。そのため、定位台がスライドレール上で距離を調整する時、定位台上の対位線がスライドレール上の目盛基準線と位置が合い、定位台を確実な位置にスライドさせる。
【課題を解決するための手段】
【００１１】
請求項１の考案は、挟持台と液晶注入台から構成された冶具に於いて、挟持台上には複数のパネル仕切条が設置されてガラスパネルを挟持し、液晶注入台は挟持台の下方に設置され、各パネル仕切条に対応する位置には液晶皿が設置され、液晶を液晶注入皿に注入してパネル仕切条に設置したガラスパネルに注入する液晶注入機冶具のスライドレール構造において、
液晶注入台には一定距離で隔たった二本のスライドレールが設置され、そのスライドレール上にはスライドレール上でスライドして適する距離に調整する定位台が複数個設置され、二本のスライドレールに対応する各定位台の間に液晶皿を設置し、各液晶皿がガラスパネルの注入口にちょうど合うことを特徴とする液晶注入機冶具のスライドレール構造としている。
請求項２の考案は、前記スライドレールは、二本の長い方の辺上に一本のスライド槽が成形され、定位台の底部には凹入り口が成形され、その凹入口の両側には内向きに延びた凸条があり、定位台をスライドレールの短い方の辺から入れ、定位台の凸条をスライドレールのスライド槽上でスライドさせることを特徴とする請求項１記載の液晶注入機冶具のスライドレール構造としている。
請求項３の考案は、前記定位台は、固定部品を具え、定位台をスライドレール上で固定することを特徴とする請求項１記載の液晶注入機冶具のスライドレール構造としている。
請求項４の考案は、前記定位台は、最上部に固定柱を設置し、その固定柱と液晶皿底部の固定孔が相互に合わさり、液晶皿の横フレームには二本のスライドレール上に相対する二個の定位台と対応することを特徴とする請求項１記載の液晶注入機冶具のスライドレール構造としている。
請求項５の考案は、前記スライドレールは、複数の目盛基準線が設置され、また定位台には対位線が設置されて、定位台上の対位線とスライドレール上の目盛基準線を相対してあわせることを特徴とする請求項１記載の液晶注入機冶具のスライドレール構造としている。
【考案の効果】
【００１２】
本考案は、液晶注入台上に二本のスライドレールを設置し、そのスライドレール上にスライドして距離を調整する定位台が複数個設置される。更に二つのスライドレール上に対応する二個の定位台の間には液晶皿が設置され、各液晶皿はガラスパネルの注入口にちょうど合う。パネル仕切条をサイズの異なるガラスパネルに合わせて距離を調整する時、定位台がスライドレール上でスライドして距離を調整し、液晶皿はスムーズに隣合う仕切条の間のガラスパネルに位置が合い、液晶皿とパネル仕切条の間の合わせ時間が短縮され、且つ液晶注入台を新たに作るコストを節約することを最も主要な特徴とする。本考案の液晶注入機冶具のスライドレール構造は、液晶皿の位置がスムーズに隣合う仕切条の間のガラスパネルに合い、液晶皿とパネル仕切条の間の合わせ時間が短縮され、且つ液晶注入台を新たに作るコストを節約するという利点がある。
【考案を実施するための最良の形態】
【００１３】
図１に示すとおり、液晶注入機によって、二枚のガラスパネルの間に液晶を注入し、液晶モニターパネルを成形する。そのうち、液晶の注入方法は、冶具１０にガラスパネル(図未提示)を置き、液晶を注入する方法とする。冶具１０は挟持台１、液晶注入台２及び液晶皿３を含む。挟持台１は、枠フレーム１１を含み、枠フレーム１１上に複数個の左右及び上下距離調整可能なパネル仕切条１２を設置し、各パネル仕切条１２の両側面にはそれぞれ複数個の仕切板１２１が設置されてその間の隙間に仕切槽１２２が成形される。二枚の隣合うパネル仕切条１２の仕切槽１２２上にガラスパネルを設置する。挟持台１は本考案の特徴ではないので、これ以上詳述しない。
【００１４】
冶具１０の液晶注入台２は、挟持台１の下方に設置し、各パネル仕切条１２に対応する位置に液晶皿３を設置する。液晶を液晶皿３から挟持台１底部の中間の空間を経て仕切槽１２２に挟んだガラスパネル内へ注入する。
【００１５】
図２、３に示すとおり、本考案の特徴は、液晶注入台２上に二本のスライドレール２１を設置し、そのスライドレール２１は耐磨耗材であり、例としてステンレスが耐魔物性をより高める。二本のスライドレール２１の間の距離と、パネル仕切条１２の幅はほぼ同じで、また二本のスライドレール２１上には別にスライドレール２１上で適する距離を調整する複数の定位台２２を設置する。当実施例では、スライドレール２１の長い方の辺両側面に一本の滑動槽２１１を成形し、定位台２２の底部には凹入口２２１を成形する。この凹入口２２１の両側辺の内向きには凸条２２２が成形され、定位台２２をスライドレール２１の短い方の辺側面から入れる時、定位台２２の凸条２２２がスライドレール２１のスライド槽２１１に入り、定位台２２をスライドレール２１上で自在にスライドさせる。更に固定部品、例としてネジ部品２３は定位台２２を定位した後、スライドレール２１上で固定する。
【００１６】
定位台２２の最上箇所には固定柱２２３を設置する。この固定柱２２３と液晶皿３底部の固定孔（図未提示）が相互に合い、液晶皿３横枠を二本のスライドレール２１に相互に対応する両定位台２の間に設置する。更に各液晶皿３はちょうどパネル仕切条１２のガラスパネルの注入口に当たる。
【００１７】
図４に示すとおり、本考案ではこのスライドレール２１上には、複数の目盛基準線２１２が設置される。定位台２２上にも対位線２２４が設置され、定位台２２をスライドレール２１上でスライド調整する時、定位台２２上の対位線２２４がスライドレール２１上の目盛基準線２１２で相互に合い、定位台２を確実な位置でスライド定位させる。
【００１８】
上述の構造により、挟持台１上のパネル仕切条１２が異なるサイズのガラスパネルを距離調整する時、定位台２はスライドレール２１上で距離を調整し、液晶皿３を有効且つ便利に各パネル仕切条１２のガラスパネルに合わせ、液晶を注入する。これによって、液晶皿３とパネル仕切条１２の間の合わせる時間が短縮され、効率が上がり、同時に一組の冶具１０によって異なるサイズのガラスパネルに適用し、製造コストを大幅に下げ、液晶注入台２のコストを節約する。
【図面の簡単な説明】
【００１９】
【図１】本考案の液晶注入機冶具の立体外観図である。
【図２】本考案の液晶注入台の立体外観図である。
【図３】本考案の液晶注入台の側面指示図である。
【図４】本考案の液晶注入台の正面指示図である。
【符号の説明】
【００２０】
１  挟持台              １０  冶具
１１  枠フレーム        １２  パネル仕切条
１２１  仕切板          １２２  仕切槽
２  液晶注入台          ２１  スライドレール
２１１  スライド槽      ２１２  目盛基準線
２２  定位台            ２２１  凹入口
２２２  凸条            ２２３  固定柱
２２４  対位線          ２３  ネジ部品
３  液晶皿
【図１】
0003118850.tif 000003
【図２】
0003118850.tif 000004
【図３】
0003118850.tif 000005
【図４】
0003118850.tif 000006